(57)【要約】【課題】石綿スレート板の留め具の取り外し時の発塵を抑え、安全で効率的に作業を行うことができる安価な石綿スレート板の留め具の除去装置及び石綿スレート板の留め具の除去方法を提供する。【解決手段】建築物の下地部材１１に固定された石綿スレート板１３の留め具１２を工具１５を用いて取り外す際に発生する粉塵を除去しながら、石綿スレート１３を下地部材１１から剥離する石綿スレート板の留め具の除去装置及び方法であって、石綿スレート板１３の留め具１２の頭部１４に係合し、工具保持治具１９を用いて石綿スレート板１３の上に配置される工具１５の周囲に一部が外側に開放された空間部２６を形成し、空間部２６に除塵機にフレキシブルホース２３を介して接続される吸い込み口２４を装入し、工具１５で留め具１２を取り外す場合に発生する粉塵を除塵機によって吸収する。【選択図】図１
2007297880.tif 000002
【特許請求の範囲】
【請求項１】
建築物の外側又は内側の下地部材に固定された石綿スレート板を取り外す際に、前記石綿スレート板を固定している留め具を、発生する粉塵を除塵機で吸塵しながら取り外す石綿スレート板の留め具の除去装置であって、
前記留め具の頭部に係合して、前記留め具を取り外す工具と、
前記工具を前記下地部材の上に直接又は前記石綿スレート板を介して保持し、一部に前記除塵機にフレキシブルホースを介して接続される吸い込み口の取付け部が設けられている工具保持治具と、
前記工具保持治具に取付けられて前記留め具の頭部に係合している前記工具の周囲を覆うカバー部材とを有し、
前記除塵機によって、前記留め具を取り外す場合に前記カバー部材の内部に発生する石綿ダストを外部に漏らさないで吸引除去することを特徴とする石綿スレート板の留め具の除去装置。
【請求項２】
請求項１記載の石綿スレート板の留め具の除去装置において、前記カバー部材が透明シートからなることを特徴とする石綿スレート板の留め具の除去装置。
【請求項３】
請求項１及び２のいずれか１項に記載の石綿スレート板の留め具の除去装置において、前記工具は釘抜きであって、前記留め具の頭部に係合する該釘抜きの先側係合部と該釘抜きの柄の中間部にある屈曲部が前記工具保持治具の両脚部の中間にピンを介して回動可能に取付けられていることを特徴とする石綿スレート板の留め具の除去装置。
【請求項４】
請求項１及び２のいずれか１項に記載の石綿スレート板の留め具の除去装置において、前記工具は前記留め具の頭部に係合するドライバー軸を備えた回転電動工具であって、該回転電動工具が前記工具保持治具にガイド部材を介して進退可能に取付けられていることを特徴とする石綿スレート板の留め具の除去装置。
【請求項５】
請求項１〜４のいずれか１項に記載の石綿スレート板の留め具の除去装置において、前記カバー部材の一部は開口となって、除塵中に外部からカバー内に空気が吸い込まれることを特徴とする石綿スレート板の留め具の除去装置。
【請求項６】
建築物の外側又は内側の下地部材に固定された石綿スレート板の留め具を工具を用いて取り外す際に発生する粉塵を除去しながら、前記石綿スレート板の留め具を除去する方法であって、
前記石綿スレート板の留め具の頭部に係合し、工具保持治具を用いて前記下地部材の上に直接又は前記石綿スレート板を介して配置される前記工具の周囲に一部が外側に開放された空間部を形成し、該空間部に除塵機にフレキシブルホースを介して接続される吸い込み口を装入し、前記工具で前記留め具を取り外す場合に発生する粉塵を前記除塵機によって吸収することを特徴とする石綿スレート板の留め具の除去方法。
【請求項７】
請求項６記載の石綿スレート板の留め具の除去方法において、前記工具は釘抜きであって、前記留め具の頭部に係合する該釘抜きの先側係合部と該釘抜きの柄の中間部にある屈曲部が前記工具保持治具の両脚部の中間にピンを介して回動可能に取付けられていることを特徴とする石綿スレート板の留め具の除去方法。
【請求項８】
請求項６記載の石綿スレート板の留め具の除去方法において、前記工具は前記留め具の頭部に係合するドライバー軸を備えた回転電動工具であって、該回転電動工具が前記工具保持治具にガイド部材を介して進退可能に取付けられていることを特徴とする石綿スレート板の留め具の除去方法。
【請求項９】
請求項６〜８のいずれか１項に記載の石綿スレート板の留め具の除去方法において、前記空間部は透明のカバー部材によって形成されていることを特徴とする石綿スレート板の留め具の除去方法。
【発明の詳細な説明】
【技術分野】
【０００１】
本発明は、外装材や屋根材として壁又は屋根本体等に固定されている石綿スレート板、所謂アスベストを含有する下地部材が使用された建築物を解体、あるいは改装する際に、石綿スレート板の留め具の取り外し時に発生する人体に有害なアスベスト含有粉塵の撤去を効率的且つ確実に行うための石綿スレート板の留め具の除去装置及び石綿スレート板の留め具の除去方法に関する。
【背景技術】
【０００２】
近年、アスベストは発癌性があるとされ、人体にとって極めて有害であるとされてきた。そして、人がアスベスト粉塵の発生する環境の中に長時間曝されることと発癌したこととの因果関係が示されている。このような事例を受けて、アスベストを使用している建築物の解体工事や、改装工事を行う際のアスベストや、アスベスト含有材の撤去作業には、非常に厳しい規制が課せられている。この規制には、発塵の度合による作業の種類によって３つのレベルが設けられている。そのレベルの最も高いレベル１は、耐火被膜用や、吸音、断熱用等として比較的大きい建築物のはり、柱、天井、壁等に吹付けられた石綿含有吹付け材の除去作業に適用されている。この除去作業は、作業場所の隔離や、高濃度の粉塵量に対応した防塵マスク、防護衣を使用しての厳重な暴露防止を行った上で行うこととなっている。次に高いレベル２は、保温用としてボイラ本体や配管、空調ダクト等、あるいは断熱用として煙突等に張り付けられた石綿を含有する保温材、断熱材、耐火被覆材等の比重が低く、レベル１よりは低いものの比較的発塵しやすい製品の除去作業に適用されている。この除去作業は、レベル１に準じた暴露防止を行った上で行うこととなっている。
最も低いレベル３は、外装用として建築物の天井、壁、床等に張り付けられた石綿含有成形板や、あるいは屋根材用として屋根に張り付けられた石綿スレート板等の除去作業に適用されている。この石綿含有成形板や、石綿スレート板等は、固体化されて通常では発塵性が極めて低いものであるが、除去作業時の破砕、切断等においては発塵を伴うので、湿式作業が原則とされ、粉塵量のレベルに応じた防塵マスクをした上で除去作業を行うこととなっている。
【０００３】
アスベストを使用している建築物の屋内の解体工事や、改装工事を行う際の撤去作業は、上記するようなレベル１の石綿含有吹付け材の除去や、レベル２の石綿を含有する保温材、断熱材、耐火被覆材等の比重が低く、発塵しやすい製品の除去の場合には、アスベストが容易に飛散しやすいので、当然、厳重な暴露防止を行った上で作業を行う必要がある。そこで、従来から、レベル１やレベル２に対応できる石綿含有吹付け材の除去装置には、建築物屋内の天井や、壁等に吹付けてある石綿含有吹付け材に被せて覆い込みをするフードと、フード内で石綿含有吹付け材を剥離する剥離手段と、剥離した石綿含有吹付け材をフード内から除去する吸引手段と、フード内の剥離手段を監視するテレビカメラを有する監視装置を備えたものが開示されている（例えば、特許文献１参照）。また、従来の、レベル１やレベル２に対応できる石綿含有吹付け材の除去装置には、石綿含有吹付け材の除去工具を備えるフードの内部周囲に配設された泡噴射ノズルから泡を噴出し、剥離された石綿含有吹付け材を混合すると共に、フードの周囲に配設した短冊状シール材の切り込み隙間を泡でシールするものが開示されている（例えば、特許文献２参照）。更には、従来の、レベル１やレベル２に対応できる石綿含有吹付け材の除去装置及び除去方法には、石綿含有吹付け材の飛散を防止しながら効率的な除去ができる除去装置及び除去方法が開示されている（例えば、特許文献３、特許文献４、許文献５参照）。
【０００４】
また、従来の、屋根材用として屋根に張り付けられた石綿スレート板のようなレベル３の石綿スレート板の補修方法には、古い石綿スレート板を除去するのではなく、補強ボルトで固定した後、コーキング処理、下地調整及び屋根用塗料の塗装を施す方法が提案されている（例えば、特許文献６参照）。
【０００５】
【特許文献１】特許第３０４５０１１号公報
【特許文献２】特許第３５６７５５５号公報
【特許文献３】特開平８−１９９８３２号公報
【特許文献４】特開平９−７２１１１号公報
【特許文献５】特開平１０−３２３６１４号公報
【特許文献６】特開２００２−１８８２４８号公報
【発明の開示】
【発明が解決しようとする課題】
【０００６】
しかしながら、前述したような従来の石綿スレート板の除去装置及び石綿スレート板の除去方法は、次のような問題がある。
（１）屋根材用として屋根本体に固定されたアスベストを含有した石綿スレート板は、一時的にカバールーフ工法等で補修を施したとしても、処理の先送りとなるだけで、いずれ除去する必要があるが、逆に、次の改修時において乾燥、劣化が進行して飛散の危険性が増大することになる。また、古い石綿スレート板に補強ボルトや釘を打ち込んだりするときにも、多くの発塵が行こり、カバールーフ等の取付けにも石綿スレート板を除去する場合と同様な防塵処理が必要となる。
（２）アスベストを含有した石綿スレート板を用いた建築物は、一般住宅が多く、ビルや、工場や、倉庫等と異なり、大掛かりな機械除去装置を使っての撤去ができない上に、滑りやすい屋根上での作業となり、散水を施しながら作業を行うことで作業者の滑落の危険性を抱えている。
（３）一般住宅における散水を施しながらの屋根本体に固定されたアスベストを含有した石綿スレート板の除去は、居住している住宅内への漏水が発生し、居住性が維持できなくなる。また、散水によって流失したアスベスト含有材は、住宅内の壁面、敷地、樹木、排水施設等に付着して乾燥後の再飛散によって、二次的な人体への有害問題を引き起こす危険がある。
（４）アスベストを含有した石綿スレート板を用いた建築物の屋根頂部を超える程度まで除去作業用の足場を全面防炎シートで覆うようにして除去作業を行う場合には、風圧による足場転倒の危険がある上に、除去費用の増大となっている。また、一般住宅では、足場の設置が不可能な場合があり、除去作業の対応が困難な場合がある。
【０００７】
本発明はかかる事情に鑑みてなされたものであって、一般住宅等の外装材や、屋根材として用いられている石綿スレート板の留め具の取り外し時の発塵を抑え、安全で効率的に作業を行うことができる安価な石綿スレート板の留め具の除去装置及び石綿スレート板の留め具の除去方法を提供することを目的とする。
【課題を解決するための手段】
【０００８】
前記目的に沿う第１の発明に係る石綿スレート板の留め具の除去装置は、建築物の外側又は内側の下地部材に固定された石綿スレート板を取り外す際に、前記石綿スレート板を固定している留め具を、発生する粉塵を除塵機で吸塵しながら取り外す石綿スレート板の留め具の除去装置であって、
前記留め具の頭部に係合して、前記留め具を取り外す工具と、
前記工具を前記下地部材の上に直接又は前記石綿スレート板を介して保持し、一部に前記除塵機にフレキシブルホースを介して接続される吸い込み口の取付け部が設けられている工具保持治具と、
前記工具保持治具に取付けられて前記留め具の頭部に係合している前記工具の周囲を覆うカバー部材とを有し、
前記除塵機によって、前記留め具を取り外す場合に前記カバー部材の内部に発生する石綿ダストを外部に漏らさないで吸引除去する。
【０００９】
第１の発明に係る石綿スレート板の留め具の除去装置において、前記カバー部材が透明シートからなるのが好ましい。これによって、留め具に工具を係合させる状態や留め具を外している状況が外部から見える。
【００１０】
第１の発明に係る石綿スレート板の留め具の除去装置において、前記工具は釘抜きであって、前記留め具の頭部に係合する該釘抜きの先側係合部と該釘抜きの柄の中間部にある屈曲部が前記工具保持治具の両脚部の中間にピンを介して回動可能に取付けられているものであってもよい。釘抜きを使用して留め具を抜く場合、留め具が釘であるのが好ましいが、例えば、木ねじなどであってもよい。釘抜きの場合は従来の手法と同じ手順で、釘等の頭部に２つ割りの先側係合部を掛止して、屈曲部を支点として柄の部分を回動して釘等を抜く。
【００１１】
第１の発明に係る石綿スレート板の留め具の除去装置において、前記工具は前記留め具の頭部に係合するドライバー軸を備えた回転電動工具であって、該回転電動工具が前記工具保持治具にガイド部材を介して工具保持治具に進退可能に取付けられているものであってもよい。この場合、留め具がスクリューねじ（例えば、木ねじ）等であって、例えば、頭部に十字又はマイナスの切れ目が入っていることが好ましい。
【００１２】
そして、第１の発明に係る石綿スレート板の留め具の除去装置において、前記カバー部材の一部は開口となって、除塵中に外部からカバー内に空気が吸い込まれるのが好ましい。カバー部材の一部に開口を設け、内部に気流を作りこれに塵を載せて除塵機方向に搬送する。
【００１３】
第２の発明に係る石綿スレート板の留め具の除去方法は、建築物の外側又は内側の下地部材に固定された石綿スレート板の留め具を工具を用いて取り外す際に発生する粉塵を除去しながら、前記石綿スレート板の留め具を除去する方法であって、
前記石綿スレート板の留め具の頭部に係合し、工具保持治具を用いて、前記下地部材の上に直接又は前記石綿スレート板を介して配置される前記工具の周囲に一部が外側に開放された空間部を形成し、該空間部に除塵機にフレキシブルホースを介して接続される吸い込み口を装入し、前記工具で前記留め具を取り外す場合に発生する粉塵を前記除塵機によって吸収する。
【００１４】
第２の発明に係る石綿スレート板の留め具の除去方法において、前記工具は釘抜きであって、前記留め具の頭部に係合する該釘抜きの先側係合部と該釘抜きの柄の中間部にある屈曲部が前記工具保持治具の両脚部の中間にピンを介して回動可能に取付けられているものであってもよい。この場合、留め具は釘である場合が最適である。
【００１５】
また、第２の発明に係る石綿スレート板の留め具の除去方法において、前記工具は前記留め具の頭部に係合するドライバー軸を備えた回転電動工具であって、該回転電動工具が前記工具保持治具にガイド部材を介して進退可能に取付けられているものであってもよい。この場合の留め具は、木ねじである場合が最適である。
【００１６】
そして、第２の発明に係る石綿スレート板の留め具の除去方法において、前記空間部は透明のカバー部材によって形成されているのが好ましい。空間部を透明のカバー部材で覆うと内部を視認でき、作業状況を把握できる。
【発明の効果】
【００１７】
請求項１〜５記載の石綿スレート板の留め具の除去装置では、石綿スレート板を建築物の下地部材に固定する留め具を外す工具を所定位置に設置する工具保持治具に、除塵機の吸い込み口を取付け、更にこれをカバー部材で覆っているので、及び請求項６〜９記載の石綿スレート板の留め具の除去方法は、石綿スレート板を建築物の下地部材に固定する留め具を外す工具の周囲に形成され、一部が外側に開放された空間部に、除塵機の吸い込み口を挿入しているので、工具によって留め具を外す場合に発生する石綿を含む粉塵を除塵機で吸い込み、外部に漏れたり、作業者が吸い込むことがない。従って、安全に石綿スレート板の留め具の除去作業を行うことができる。
【発明を実施するための最良の形態】
【００１８】
続いて、添付した図面を参照しつつ、本発明を具体化した場合の最良の形態について説明し、本発明の理解に供する。
ここに、図１、図２はそれぞれ本発明の第１の実施の形態に係る石綿スレート板の留め具の除去装置の説明図、図３（Ａ）〜（Ｅ）は同石綿スレート板の留め具の除去装置の使用方法の説明図、図４は本発明の第２の実施の形態に係る石綿スレート板の留め具の除去装置の側面図、図５は同石綿スレート板の留め具の除去装置の平面図、図６は同石綿スレート板の留め具の除去装置の背面図、図７（Ａ）、（Ｂ）、（Ｃ）は同石綿スレート板の留め具の除去装置の使用方法の説明図である。
【００１９】
図１、図２に示すように、本発明の一実施の形態に係る石綿スレート板の留め具の除去装置１０は、例えば、一般住宅や、倉庫等からなる建築物の外装材や屋根本体を構成する図示しない野地板（下地部材の一例）１１に留め具の一例である釘１２で固定されたアスベストを含有する石綿スレート板１３を野地板１１から取り外す時に用いられる装置である。この石綿スレート板の留め具の除去装置１０は、石綿スレート板１３の取り外し時に発生する粉塵を、フィルターを介して除塵できる吸塵機（図示せず）で吸塵しながら釘１２を取り外して石綿スレート板１３を野地板１１から剥離するのに用いる。この実施の形態においては、留め具として釘１２を使用した場合について説明するが、釘抜きが係合する頭部を有するものであれば、螺子釘や石綿スレート板１３を野地板１１に締め付けるボルトナットであってもよい。
【００２０】
また、図示しないが、前記した吸塵機には、除塵にフィルターが用いられた、例えば、クリーンルーム用掃除機のようなものが適している。このクリーンルーム用掃除機からなる吸塵機は、吸引側に取付けられて粉塵を直接捕集するメインフィルターが紙パック方式で、殆どの粉塵がこのメインフィルターで捕集できるようになっている。また、この吸塵機は、メインフィルターを交換する場合には、粉塵が捕集されたメインフィルターに一定量の水を噴霧、吸収させて粉塵の飛散を防止することで、安全に交換を行うことができる。そして、交換し終わったメインフィルターは、そのままセメントモルタル等で封止固定化すれば、安全に廃棄処理を行うことができる。更に、この吸塵機は、排出側に取付けられて、メインフィルターを通過した排気を、更に除塵してクリーンな空気を外に排出するためのクリーンフィルターを備えている。このクリーンフィルターは、容量が大きいので、寿命が長く交換頻度が少なくなっているが、交換を必要とする場合には、収納蓋部から水を噴霧し、メインフィルターの処理と同様な廃棄処理を行うことができる。
【００２１】
石綿スレート板の留め具の除去装置１０は、釘１２の頭部１４に係合して釘１２を取り外す工具の一例である釘抜き（バール）１５と、釘抜き１５を野地板１１の上に直接又は石綿スレート板１３を介して保持し、一部に前記除塵機にフレキシブルホース２３を介して接続される吸い込み口２４の装着部２５（取付け部の一例）が設けられ、両側に配置された側板１６、１７がこの実施の形態では石綿スレート板１３上に載置される工具保持治具１９と、工具保持治具１９に取付けられて釘抜き１５及び工具保持治具１９の周囲を覆うカバー部材（フード）２１とを有している。
【００２２】
このカバー部材２１は透明な合成樹脂シート（又はフィルム）からなって、上部中央に開口２２が設けられ、釘抜き１５の先側が嵌入し、しかも図１に矢視ａ方向で示す前後方向に釘抜き１５が回動できる広さを有している。そして、このカバー部材２１には、吸塵機の吸入側から延設して設けられているフレキシブルホース２３の吸い込み口２４の先端部が嵌入している。このフレキシブルホース２３の吸い込み口２４は、工具保持治具１９の前側に設けられている装着部２５に着脱可能に装着され、工具保持治具１９の両側の脚部となる側板１６、１７の中央の空間部２６に吸い込み口２４の先端部が向くようになっている。
【００２３】
なお、この空間部２６は主としてカバー部材２１によって覆われ、更に外部とは開口２２と他の隙間によって基本的に連通している。これによって、吸い込み口２４によって吸引される空気の一部は、通常は開口２２から流れ込み、空間部２６内に吸い込み口２４に向かって流れる高速（例えば、風速が1
0 〜２５ｍ／秒）の空気流を発生させている。また、カバー部材２１の縁部は側板１６、１７に固定されるか半固定されて、工具保持治具１９から容易にとれないようになっている。
なお、この吸い込み口２４の先端部には、吸い込み口２４の先端外周面から先端側に突出するブラシを設けてもよく、このブラシによって、空間部２６の内部に付着した粉塵を除去できる。
【００２４】
工具保持治具１９は、前述のように、所定の距離を有して配置され、後部を下板１８で連結された２枚の側板１６、１７と、これらを連結するピン（ボルト）２８、２９及びこれらに螺合するナット、及び前部のピン２８に固着された円形の支持部材３０、３１とを有してなる。それぞれの側板１６、１７の前側下部は斜めに切断されて、側板１６、１７とカバー部材２１によって形成される空間部２６に作業中に別の開口を形成している。フレキシブルホース２３の吸い込み口２４を一時固定する装着部２５は、前側のピン２８を介して両側の側板１６、１７に取付けられている。側板１６、１７の下部は後部を除いて石綿スレート板１３との間に隙間を設けるのがよい。
釘抜き１５の先側係合部３３と柄３４の中間部にある屈曲部（その周囲も含む）３５には貫通孔が形成されて、ピン２９がこの貫通孔に挿通し、ピン２９を介して釘抜き１５（詳細には、先側係合部３３と屈曲部３５）と工具保持治具１９が回動可能に連結されている。先側係合部３３の先はＶ字状切欠き３６が形成されて釘１２の頭部１４に掛合するようになっている。
【００２５】
次いで、図３（Ａ）〜（Ｅ）を参照しながら、前記石綿スレート板の留め具の除去装置１０を用いた本発明の第１の実施の形態に係る石綿スレート板の留め具の除去方法を説明する。
この石綿スレート板の留め具の除去方法は、一般住宅や、倉庫等からなる建築物の外装材や、屋根材として野地板１１に固定されているアスベストを含有する石綿スレート板１３を、その釘１２を取り外す時に発生する粉塵を吸塵機で吸引しながら、取り外すものである。この除去方法での作業は、散水しながらの作業を必要としない上に、大掛かりな足場や、全面防炎シートでの覆い等を必要としないので、安全に作業ができると共に、作業コストを安価にすることができる。
【００２６】
この作業においては、まず除塵機にフレキシブルホース２３を介して取付けられている吸い込み口２４を、工具保持治具１９の装着部２５に固定し、次に図示しない除塵機を運転して、所定箇所に配置されている石綿スレート板の留め具の除去装置１０のカバー部材２１によって覆われている空間部２６に気流を発生させる。この状態で、図３（Ａ）に示すように、釘抜き１５のＶ字状切欠き３６を石綿スレート板１３に食い込んでいる釘１２の頭部１４に係合させるような向きに配置して、釘抜き１５の屈曲部３５の後側をハンマー３７などで叩き、頭部１４にＶ字状切欠き３６を係合させる。この動作は通常の釘抜きと同じである。この状態では、カバー部材２１の後ろ側下部が持ち上がって開口３８が形成されるが、この開口３８部分にも外から内側に流れる気流が発生して、空間部２６内で発生する粉塵を外部に漏らさないようにする。
【００２７】
この後、図３（Ｂ）に示すように、釘抜き１５の先側係合部３３の底部を水平にして、釘１２の頭部１４を完全にＶ字状切欠き３６に係合させた後、図３（Ｃ）に示すように、釘抜き１５の柄３４を釘１２が抜ける方向に回動させて、図３（Ｄ）に示すように釘１２を完全に野地板１１及び石綿スレート板１３から引き抜く。この場合、釘１２の食い込み状況によっては、ハンマー３７を用いて釘１２に衝撃を与えてもよい。
釘１２が野地板１１及び石綿スレート板１３から完全に外れると、釘１２はＶ字状切欠き３６に引っかかってはいるが自由状態となるので、図３（Ｅ）に示すように、開口２２及びその他の隙間から空間部２６内に発生する気流によって吹き飛ばされ、吸い込み口２４の内部に入る。なお、釘抜き作業中に発生する粉塵は全て、空間部２６内に発生する気流に乗って吸い込み口２４からフレキシブルホース２３を介して除塵機に搬送される。
【００２８】
続いて、図４〜図７を参照して、本発明の第２の実施の形態に係る石綿スレート板の留め具の除去装置４０及びその方法について説明する。
この実施の形態においては、一般に石綿スレート板１３が例えばねじ４１（留め具の一例）で下地部材の一例である外壁材の一例である胴縁４２に取付けられている場合であって、通常は、ドライバー軸（ドライバーチップ）４３が設けられた回転電動工具（工具の一例）４４でねじ４１を外すが、この場合に発生する石綿を含む粉塵が外部に漏れないようにして作業を行うものである。
【００２９】
この第２の実施の形態に係る石綿スレート板の留め具の除去装置４０は、前記したドライバー軸４３が装着された回転電動工具４４と、回転電動工具４４を胴縁４２の上に直接又は石綿スレート板１３を介して保持し、一部に図示しない除塵機にフレキシブルホース２３を介して接続される吸い込み口２４の取付け部（装着部）４６が設けられている工具保持治具４７と、工具保持治具４７に取付けられて、ねじ４１の頭部４５の周囲を覆うカバー部材４８とを有している。以下、これらについて詳しく説明する。
【００３０】
回転電動工具４４は、図４、図５に示すように、通常の電動ドライバーからなって、ドライバーチャック４９が設けている側の工具本体５０にはホルダー５１が設けられている。このホルダー５１は工具本体５０の片側に突出するコ字状部分５２に中心軸が同一となるガイド孔部５３、５４を有し、ガイドロッド５５がガイド孔部５３、５４内を移動可能に挿通している。ガイド孔部５３、５４の間のガイドロッド５５には圧縮スプリング５６が配置され、この圧縮スプリング５６の一端はガイドロッド５５の固定端方向に設けられたストッパー５７に、他端はガイド孔部５４の内側端部に当接し、常時回転電動工具４４をストッパー５７から遠ざけるように荷重がかかっている。なお、ホルダー５１及びガイドロッド５５を有してガイド部材が構成されている。
【００３１】
工具保持治具４７は、一方（図４で下方）に除塵機にフレキシブルホース２３を介して接続される吸い込み口２４の取付け部４６が設けられた断面矩形のステンレス製（又は硬質プラスチック製）のフレーム５８を有している。このフレーム５８の基部側には前記ガイドロッド５５を立てる断面コ字状の金具５９がフレーム５８を覆うようにして取付けられ、その先端部がフレーム５８にねじ止めされている。このフレーム５８の先側はその一部、即ち石綿スレート板１３に位置する側（底部）の断面が正面視して半円状に曲がった円形部６１を形成している。しかも、この円形部６１のフレーム５８の天井部及び側壁の一部が開放となっている。
【００３２】
この円形部６１の側壁開放部分には、透明合成樹脂によるカバー部材４８が設けられて、フレーム５８及びカバー部材４８によって形成される空間部６３内に周囲から空気が入るのを防止し、カバー部材４８の天井部開放部分が外気と接するようになっている。
また、フレーム５８の円形部６１の中心は、回転電動工具４４に取付けられたドライバー軸４３に一致するように、ガイドロッド５５のフレーム５８に対する取付け位置が決定されている。フレーム５８の底部は閉塞されてクッション６４が設けられているが、円形部６１に位置するフレーム５８の底部にはＵ字状の開口６５が設けられて、ねじ４１の頭部４５がこの開口６５内に露出するようになっている。
【００３３】
続いて、図７（Ａ）、（Ｂ）、（Ｃ）を参照しながら、この石綿スレート板の留め具の除去装置４０を用いた第２の実施の形態に係る石綿スレート板の留め具の除去方法について説明する。
回転電動工具４４にホルダー５１を介して工具保持治具４７が取付けられ、更に工具保持治具４７には、図示しない除塵機にフレキシブルホース２３を介してその吸い込み口２４が接続された石綿スレート板の留め具の除去装置１０を用意し、これを除去しようとする石綿スレート板１３を固定している個々のねじ４１の上に、ねじ４１の頭部４５がドライバー軸４３の軸心になるようにして配置する。この場合、ドライバー軸４３の先端位置は、工具保持治具４７の底部に設けられた開口６５に一致するので、開口６５内に頭部４５を露出させるようにするとよい。
【００３４】
工具保持治具４７の底部を石綿スレート板１３に押し当てた状態で、図７（Ａ）に示すように回転電動工具４４を石綿スレート板１３に押しつけ、ドライバー軸４３の先端をねじ４１の頭部４５に係合させ、回転電動工具４４のスイッチを入れて、ドライバー軸４３を反時計方向に回転させ、図７（Ｂ）に示すようにねじ４１を胴縁４２及び石綿スレート板１３から取り外す。そして、必要であるならドライバー軸４３に多少の振動を与えると、ねじ４１がドライバー軸４３から外れる。一方、円形部６１の天井部は開放されているので、この部分から空間部６３を通って吸い込み口２４に向けて高速気流が発生している。従って、ドライバー軸４３から外れたねじ４１は、図７（Ｃ）に示すように、この気流に乗って吸い込み口２４に吸い込まれる。
【００３５】
なお、ドライバー軸４３が自由に嵌入するフレーム５８の円形部６１は天井部が開放なので、常時高速の気流が外部から空間部６３に流入しており、ねじ４１を抜く場合に発生する全ての粉塵を吸気し、フレキシブルホース２３を介して除塵機に搬送する。
前記実施の形態においては、留め具は釘又はねじであったが、その他のもの（例えば、ステイプラー等）であっても本発明は適用される。
【産業上の利用可能性】
【００３６】
本発明の石綿スレート板の留め具の除去装置及び石綿スレート板の留め具の除去方法は、アスベストを含有する石綿スレート板を用いた建築物からその石綿スレート板を除去するのに、特別に散水しながらの作業を行わないでその留め具を取り外すことができる。なお、散水するか否かは任意であるから、対象物に散水する場合も当然本発明が適用される。この除去装置及び除去方法は、一般住宅や、倉庫等の建築物に用いられたアスベストを含有する外装材や、屋根材の除去に広く利用することができる。
【図面の簡単な説明】
【００３７】
【図１】本発明の第１の実施の形態に係る石綿スレート板の留め具の除去装置の説明図である。
【図２】同石綿スレート板の留め具の除去装置の説明図である。
【図３】（Ａ）〜（Ｅ）は同石綿スレート板の留め具の除去装置の使用方法の説明図である。
【図４】本発明の第２の実施の形態に係る石綿スレート板の留め具の除去装置の側面図である。
【図５】同石綿スレート板の留め具の除去装置の平面図である。
【図６】同石綿スレート板の留め具の除去装置の背面図である。
【図７】（Ａ）、（Ｂ）、（Ｃ）は同石綿スレート板の留め具の除去装置の使用方法の説明図である。
【符号の説明】
【００３８】
１０：石綿スレート板の留め具の除去装置、１１：野地板、１２：釘、１３：石綿スレート板、１４：頭部、１５：釘抜き、１６、１７：側板、１８：下板、１９：工具保持治具、２１：カバー部材、２２：開口、２３：フレキシブルホース、２４：吸い込み口、２５：装着部、２６：空間部、２８、２９：ピン、３０、３１：支持部材、３３：先側係合部、３４：柄、３５：屈曲部、３６：Ｖ字状切欠き、３７：ハンマー、３８：開口、４０：石綿スレート板の留め具の除去装置、４１：ねじ、４２：胴縁、４３：ドライバー軸、４４：回転電動工具、４５：頭部、４６：取付け部、４７：工具保持治具、４８：カバー部材、４９：ドライバーチャック、５０：工具本体、５１：ホルダー、５２：コ字状部分、５３、５４：ガイド孔部、５５：ガイドロッド、５６：圧縮スプリング、５７：ストッパー、５８：フレーム、５９：コ字状の金具、６１：円形部、６３：空間部、６４：クッション、６５：開口
【図１】
2007297880.tif 000003
【図２】
2007297880.tif 000004
【図３】
2007297880.tif 000005
【図４】
2007297880.tif 000006
【図５】
2007297880.tif 000007
【図６】
2007297880.tif 000008
【図７】
2007297880.tif 000009